(57)【特許請求の範囲】
【請求項１】
複数の紙葉を積み重ねた状態に一時貯留するためのスタック部と、
前記スタック部の直ぐ上流に設けられていて、所定の搬送通路に沿って搬送されてくる各新着紙葉を受け入れるための挿入ポケット部と、前記新着紙葉を前記スタック部に既に貯留されている紙葉から分離した状態に前記挿入ポケット部内に一時係止するための係止位置と、前記挿入ポケット部内に一時係止された前記新着紙葉を前記スタック部に向けて解放するための解放位置との間で回動可能な係止体とを含むスタックガイド部と、
任意の駆動手段を介して、搬送されてくる前記新着紙葉が前記挿入ポケット部に受け入れられるよう前記挿入ポケット部から退却する第１の位置と、前記挿入ポケット部に突入することにより前記受け入れられた新着紙葉を前記スタック部に向けて押し出す第２の位置との間で回動可能に設けられたプッシャ部材と、
前記駆動手段を介して前記プッシャ部材が前記第２の位置に回動するのに応じて前記係止体が前記解放位置に回動し、また、前記プッシャ部材が前記第１の位置に回動するのに応じて前記係止体が前記係止位置に回動するよう、前記駆動手段と前記係止体と前記プッシャ部材とを連結した連結機構と、
前記スタックガイド部の下流側に設けられ、それぞれが複数の可撓性の羽根を有し、互いに反対方向に回転する１対の羽根車であって、その回転により前記可撓性の羽根が前記紙葉を引き出し、これにより、前記プッシャ部材の前記第２の位置への回動、および、前記係止体の前記解放位置への回動により前記スタック部に向けて解放される前記紙葉を、前記スタック部に向けて送り込む１対の羽根車と
を具備した紙葉スタックユニット。
【請求項２】
前記連結機構が、
前記駆動手段の駆動力によって前記プッシャ部材を前記第２の位置に回動させるよう、前記駆動手段と前記プッシャ部材とを連結した連結部材と、
前記係止体の一部分に当接するよう前記プッシャ部材に設けられていて、該プッシャ部材が前記第２の位置に回動するのに応じて前記係止体を前記解放位置に回動するよう押す突起とを含む請求項１に記載の紙葉スタックユニット。
【請求項３】
前記紙葉は、その一方面が前記搬送通路の基底面に接しながら、その長辺が前記搬送通路と平行となる横臥縦方向に搬送され、この横臥縦方向に前記スタックガイド部の前記挿入ポケット部内に受け入れられるものであり、前記係止体は、前記紙葉の左右の長手縁部に対応して設けられていて前記紙葉の幅方向に回動可能な１対の係止部材からなり、
前記プッシャ部材の前記第２の位置への回動、および、前記係止体の前記解放位置への回動により前記スタック部に向けて解放される前記紙葉は、引力によって前記スタック部に落下するようになっている請求項１に記載の紙葉スタックユニット。
【発明の詳細な説明】
【０００１】
【発明の属する技術分野】
この発明は、紙幣等の紙葉を所定のスタック部に順次収納するための紙葉スタックユニットに関し、特に、コンパクトな構成により、高速で、紙葉の適切な整頓収納ができるもの関する。
【０００２】
【従来の技術】
近年、例えばコンビニエンスストア、スーパーマーケット、スーパーストアなどの流通業界その他においては、売上金の自動集計、送金、現金輸送処理における安全性の確保、トータルコストの削減等を目的として、警備会社によって総合的に管理される紙幣入金装置が広く利用されている。
【０００３】
紙幣が所定の投入口部から紙幣入金装置内に投入されると、該投入紙幣は、先ず金種別に仕分され、各金種毎に、鑑別／計数部によって真偽鑑別がなされると共に、１枚ずつ計数される。このとき、“真紙幣”と判定された紙幣は、所定の搬送通路を通ってスタックユニットに送られてそこに一時貯留される。また、“偽紙幣”もしくは“著しく破損している紙幣”と判定された紙幣は、紙幣リジェクト部に放出される。操作者（ユーザ）は、例えば所定のディスプレイ上の表示内容により、実際に投入した紙幣の合計金額と該装置によって計数された合計金額とが一致しているかの判定を行い、この判定に従い、入金決定スイッチまたは入金取消スイッチを選択的に操作する。操作者が入金取消スイッチを操作した場合、前記スタックユニットの前扉が開き、そこから、前記操作者は投入した偽紙幣等を取り出すことができる。一方、前記操作者が入金決定スイッチを操作した場合には、前記スタックユニットのシャッタプレートとその下流側に着脱式に取り付けられた金庫ユニットの蓋とが開き、これにより、それまで前記スタックユニットに一時貯留されていた紙幣が、その金種用の金庫ユニットに送り出され、そこに最終的に収納されることになる。このような紙幣入金装置に使用されているスタックユニットは、当該分野では、“一時スタッカ”と呼ばれている。
その後、それぞれの金種の紙幣を収納した金庫ユニットは、例えば契約された警備会社の係員によって収集され、新たに空の金庫ユニットと交換される。
【０００４】
ところで、この種の紙幣入金装置としては、個々の紙幣を、順次、その長手方向に(すなわち、紙幣の長辺が所定の搬送通路に平行となる縦方向に搬送するものがある。図３に例示するように、このように縦方向に搬送される各紙幣Ｂは、上述の鑑別／計数処理の後、スタックユニット２に設けられた紙幣ガイド３部に導入されてそこで一時係止される。前記スタックガイド部３は、紙幣搬送方向に平行な図示例のような１対のガイドレール３ａを含み、その主な機能は、前記搬送通路に沿って搬送されてくる各紙幣Ｂをスタック部Ｓの直ぐ上流で一時停止させ、前記ガイドレール３を介して、スタックユニット２に搬送されてくる各紙幣Ｂがスタックユニット２に既に一時貯留されている先着紙幣Ｂと干渉し合うのを防止することである。例えば、前記スタックユニット２に搬送されてくる各新着紙幣Ｂは、先ず、その下面両側縁部が前記ガイドレール３ａの上面に載るよう前記スタックガイド部３に取り込まれる。これにより、該紙幣Ｂに折れ、切断等の変形部分がある場合でも、該各新着紙幣Ｂは、先着紙幣Ｂと接触、干渉し合うことなく、前記先着紙幣Ｂから確実に分離された状態に一時係止される。従って、このようなスタックガイド部３は、各新着紙幣Ｂがその折れ、切断等の変形部分によってジャム等を生じる可能性を最小化できるものである。
【０００５】
以上のようにして前記スタックガイド部３に導入された前記紙幣Ｂは、ソレノイド等の駆動手段を介して動作するプッシャ４によってその一方面（表面または裏面）が押圧され、こうして、弧状に湾曲しながらある程度の剛性（腰）を持って前記紙幣ガイドからに押し出され、前記スタックユニット２におけるバネで付勢された支持板６に対して押しつけられる。このようなスタックガイド部３およびプッシャ４による導入、押圧動作は１枚ずつ搬送されてくる各紙幣Ｂ毎に繰り返され、その結果、図示のように複数の紙幣Ｂが、順次、前記支持板６に対して押圧された状態に重ねられて、前記スタックユニット２に一時貯留されることができる。
【０００６】
【発明が解決しようとする課題】
しかし、図３に示したようなタイプの紙幣入金装置におけるスタックユニットにあっては、係止体としての前記１対のガイドレール３ａが固定的に設けられており、前記プッシャ４の移動によって紙幣Ｂを支持板６または先に一時貯留されている紙幣Ｂの近くまでかなりの距離押し出す構成であるために、前記プッシャ４のストロークが長くなり、その結果、処理の高速化が困難であった。また、前記長いストロークに応じた動作スペースを確保するために、紙幣入金装置のサイズも大型になっていた。
【０００７】
本発明は上述の点に鑑みてなされたもので、コンパクトな構成により、高速で、紙葉の適切な整頓収納ができる紙葉スタックユニットを提供することを目的とする。
【０００８】
【課題を解決するための手段】
上記目的を達成するために、この発明に係る紙葉スタックユニットは、複数の紙葉を積み重ねた状態に一時貯留するためのスタック部と、前記スタック部の直ぐ上流に設けられていて、所定の搬送通路に沿って搬送されてくる各新着紙葉を受け入れるための挿入ポケット部と、前記新着紙葉を前記スタック部に既に貯留されている紙葉から分離した状態に前記挿入ポケット部内に一時係止するための係止位置と、前記挿入ポケット部内に一時係止された前記新着紙葉を前記スタック部に向けて解放するための解放位置との間で回動可能な係止体とを含むスタックガイド部と、任意の駆動手段を介して、前記新着紙葉が前記挿入ポケット部に受け入れられることを可能にするよう前記挿入ポケット部から退却する第１の位置と、前記挿入ポケット部に突入することにより前記受け入れられた新着紙葉を前記スタック部に向けて押し出す第２の位置との間で回動可能に設けられたプッシャ部材と、前記駆動手段を介して前記プッシャ部材が前記第２の位置に回動するのに応じて前記係止体が前記解放位置に回動し、また、前記プッシャ部材が前記第１の位置に回動するのに応じて前記係止体が前記係止位置に回動するよう、前記駆動手段と前記係止体と前記プッシャ部材とを連結した連結機構とを具備したものである。
【０００９】
待機状態において、前記プッシャ部材は前記第１の位置にあり、前記係止体は前記係止位置にある。また、例えばソレノイドからなる前記任意の駆動手段は、例えば、オフ状態にある。この状態で、搬送通路に沿って送られてきた紙葉(新着紙幣)は、前記スタックガイド部の挿入ポケット部に受け入れら、前記係止体によって該ポケット部に一時係止される。こうして、前記任意の駆動手段がオンすると、前記プッシャ部材が前記第２の位置に回動し、前記新着紙葉を前記ポケット部からスタック部に向けて押し出す。このプッシャ部材が前記第２の位置に回動するのと同時に、前記連結機構を介して、前記係止体が前記解放位置に回動し、前記ポケット部をスタック部に対して開く。このようにして、前記新着紙葉はスタック部に送られることができ、しかるのち、該スタック部に先着紙葉と共にスタックされる。以上のように、前記プッシャ部材が前記第２の位置に回動して紙葉を押し出すのと同時に、前記係止体が前記解放位置に回動し前記ポケット部をスタック部に対して開き、前記プッシャ部材による紙葉の押出し動作を容易化し、補助するようにしたので、前記プッシャ部材による紙葉押し出しストロークを短くでき、該スタックユニット、従って、該スタックユニットを適用した装置のサイズをコンパクト(小型)化できるるとともに、より高速で、紙葉の適切な整頓収納ができる。
【００１０】
好ましくは、前記連結機構は、前記駆動手段の駆動力によって前記プッシャ部材を前記第２の位置に回動させるよう、前記駆動手段と前記プッシャ部材とを連結した連結部材と、前記前記係止体の一部分に当接するよう前記プッシャ部材に設けられていて、該プッシャ部材が前記第２の位置に回動するのに応じて前記係止体を前記解放位置に向けて押す突起とを含むものである。
【００１１】
この発明は、紙葉をスタックガイド部からスタック部に落下させるタイプのスタックユニットに適用した場合、特に、効果的である。すなわち、この場合、前記紙葉は、その一方面が前記搬送通路の基底面に接しながら、その長辺が前記搬送通路と平行となる横臥縦方向に搬送され、且つ、この横臥縦方向のまま前記スタックガイド部の前記挿入ポケット部内に受け入れられるものである。そして、前記係止体は、前記紙葉の左右の長手縁部に対応して設けられた前記紙葉の幅方向に回動可能な１対の係止部材からなり、前記プッシャ部材は前記紙葉の長手方向に回動可能であり、前記プッシャ部材の前記第２の位置への回動、および、前記係止体の前記解放位置への回動により前記スタック部に向けて解放される前記紙葉は、引力によって前記スタック部に落下するようになっている。このような構成により、装置のサイズをよりコンパクトできるるとともに、より高速で、紙葉の適切な整頓収納ができる。
【００１２】
さらに、好ましくは、この発明のスタックユニットは、前記スタックガイド部の下流側に、それぞれが複数の可撓性の羽根を有し、互いに反対方向に回転する１対の羽根車をさらに具備している。該１対の羽根車は、その回転により前記可撓性の羽根を介して、前記プッシャ部材の前記第２の位置への回動、および、前記係止体の前記解放位置への回動により前記スタック部に向けて解放される前記紙葉を前記挿入ポケット部から引き出し、前記前記スタック部に向けて送り込む。このような羽根車を含む構成は、上記のような紙葉をスタックガイド部からスタック部に落下させる方式に適用した場合、この発明の効果をさらに高めることができる。
【００１３】
【発明の実施の形態】
以下、この発明の実施の形態を添付図面に従って詳細に説明する。以下に説明する実施の形態は、この発明の原理を紙幣入金装置のスタックユニットに適用したものである。
【００１４】
この紙幣入金装置においては、紙幣が所定の投入口部から投入されると、該投入紙幣は、例えば、その一方面（表面または裏面）が搬送通路の基底面に接しながら、その長辺（長手方向）が前記搬送通路と平行となるいわゆる“横臥縦方向”に搬送される。従来と同様に、前記投入紙幣は、先ず、前記搬送通路の最上流側において金種別に仕分され、各金種毎に、真偽鑑別がなされると共に、１枚ずつ計数される。“真紙幣”と判定された紙幣は、前記搬送通路を通って本発明のスタックユニットに送られここに一時貯留され、しかる後、金種毎の着脱式に金庫に収納されることになる。
【００１５】
図１は、本発明の一実施の形態に係るスタックユニットの断面側面図である。その全体を符号１０で示す該スタックユニットにおいて、所定の搬送通路に沿って送られてくる各紙幣Ｂは、該スタックユニット１０のスタックガイド部１４に挿入され、ここで一時係止される。このスタックガイド部１４の主な機能は、従来のものと同様に、前記搬送通路に沿って搬送されてくる各紙幣Ｂをスタック部Ｓの直ぐ上流で一時係止し、前記スタック部Ｓに既に一時貯留されている先着紙幣Ｂと干渉し合うのを防止することである。すなわち、紙幣Ｂに折れ、切断等の変形部分がある場合でも、該各新着紙幣Ｂは、先着紙幣Ｂと接触、干渉し合うことなく、前記先着紙幣Ｂから確実に分離された状態に、スタックガイド部１４に一時係止され得る。従って、このようなスタックガイド部１４は、各新着紙幣Ｂがその折れ、切断等の変形部分によってジャム等を生じる可能性を確実に除去できるものである。
【００１６】
より詳しくは、前記スタックガイド部１４は、１枚の紙幣Ｂの厚みより十分大きな距離で対向した固定プレート１５と、紙幣の係止体を構成する左右１対の係止部材１６とで構成されており、これらの。これらの固定プレート１５と係止体１６との間で紙幣Ｂを受け入れるための挿入ポケット部Ｐを形成している。固定プレート１５および係止部材１６は、搬送通路の長手方向、従って、該搬送通路に沿って縦搬送されてくる紙幣Ｂの長さ方向に延びていている。該１対の係止部材１６は、新着紙幣Ｂの幅方向両側(左右側部分)に対応して設けられていて、前記固定プレート１５の外側に回動して、前記挿入ポケット部Ｐを下流側のスタック部Ｓに対して開くよう構成されている。送られてくる各紙幣Ｂは、前記固定プレート１５と係止部材１６との間の挿入ポケット部Ｐに進入し、該係止部材１６上に載置される。駆動機構１７は、該スタックガイド部１４の係止部材１６上に一時係止された新着紙幣Ｂを前記スタックガイド部１４から下方(下流側)のスタック部Ｓに押し出すために、該紙幣Ｂの例えば前方部および後方部をそれぞれ押す前方プッシャ１８および後方プッシャ１９を備えている。各プッシャ１８，１９は、全体的に紙幣Ｂの長手方向に沿って延びており、その後端において、軸１８ａ、１９ａを介して図示しない所定のフレームに対して回動可能に固定されており、さらに、前記後端側の軸１８ａ、１９ａから少し離隔した箇所において、駆動手段としてのソレノイド２０に連結されている。
【００１７】
該ソレノイド２０は、紙幣Ｂの長手方向に伸縮するピストンロッド２０ａを有する。図示例において、後方プッシャ１９の後端はピストンロッド２０ａに直接連結されており、前方プッシャ１８の後端は連結部材２２を介してピストンロッド２０ａに連結されている。こうして、前記ソレノイド２０がオンして、ピストンロッド２０ａが矢印Ａ方向に収縮移動するのに応じて、各前記プッシャ１８，１９が軸１８ａ、１９ａを中心として下方（矢印Ｂ方向）に回動し、これにより、その前端において、それまで１対の係止部材１６上に一時係止されていた紙幣Ｂを下方に湾曲させながら、スタック部Ｓに向けて下方に押し出す。例えば、前記駆動機構１７は、スタックガイド部１４の左右に、すなわち、紙幣Ｂの左右両側に対応して、１つずつ左右対称的に設けられていてよい。従って、紙幣Ｂは、２つずつ左右対称的に設けられた合計４つの前方、後方プッシャ１８，１９によって押し出されるようになっていてよい。図１は、このように紙幣Ｂの左右両側に対応して設けられた前方、後方プッシャ１８，１９および駆動機構１７の１組のみを示している。しかし、新着紙幣Ｂを確実に前記スタック部Ｓに向けて下方に押し出せるのであれば、これら駆動機構１７およびプッシャ１８，１９の数は任意に選択されてよい。特に、前記連結部材２２を左右方向に拡張することによって、ただ１つの駆動機構１７を含む構成にすることができる。
【００１８】
図２は、図１のＩＩ−ＩＩ線に沿う断面図であり、特に、前記前方、後方プッシャ１８，１９（図２では、前方プッシャ１８のみを図示）が紙幣Ｂを下方に押し出すと同時に、前記係止体を構成する左右の係止部材１６が外側に開いて紙幣Ｂを落下させるための構成を示している。図示のように、各係止部材１６は、常時は、前記固定プレート１５の左右側部の下面に平行に離隔対向する位置(紙幣係止位置)に維持されていて、各新着紙幣Ｂをその上面で載置係止できるようになっている。また、各係止部材１６は、その外方側縁部の少なくとも一部において、回動部材２５と一体的に形成され、または、適宜の連結部材を介して一体的に連結されている。各前記係止部材１６および回動部材２５は、前記前方、後方プッシャ１８，１９より外方に位置している。
【００１９】
図２に示した例において、左側の回動部材２５は略Ｌ字形状であり、右側の回動部材２５は略逆Ｌ字形状である。各前記回動部材２５は、その上端部において、軸２１を介して図示しない所定のフレームに対して回動可能に固定されている。すなわち、両前記回動部材２５は、前記軸２１を介して前記固定プレート１５、従って、紙幣Ｂの幅方向（矢印Ｃ方向）に回動可能である。このような該回動部材２５の側方外方への回動に応じて、前記左右の各係止部材１６が側方外方に退却するようになっている。
【００２０】
さらに、各前記回動部材２５において、前記軸２１よりわずかに内方、すなわち、対応するプッシャ１８，１９の外側面に隣接した箇所には、前方（図２の紙面の手前方向）に延びた突起２５ａが形成されている。また、各プッシャ１８，１９（図示例では、左右の前方プッシャ１８のみが示されている）において、前記回動部材２５の軸２１より前方には、その外側面から外方に延びた側方突起（図示例では、前方プッシャ１８の突起１８ａのみが示されている）が形成されており、各プッシャ１８，１９の側方突起１８ａは、対応する回動部材２５の突起２５ａに当接している。前記側方突起１８ａ、回動部材２５の突起２５ａおよび連結部材２２は、連結機構を構成している。
【００２１】
さらに、この発明のより好ましい実施の形態によると、図２に示すように、前記スタック部Ｓの上方であって、前記スタックガイド部１４の直ぐ下流側には、互いに反対方向に回転する左右の羽根車２３が設けられている。より詳しくは、各前記羽根車２３は、それぞれが合成樹脂製で可撓性を有し回転方向に離隔した複数の羽根２３ａを備えている。また、図２の図示例において、常時または必要時にのみ、左側の羽根車２３は時計回り方向に回転し、右側の羽根車２３は逆時計回り方向に回転するものである。これらの羽根車２３は、それぞれの羽根２３ａの回転により、上述のようなプッシャ１８，１９による押圧と、および、係止部材１６の側方外方への回動との共同作用によって前記スタックガイド部１４から押し出される紙幣Ｂの上面に作用し、該紙幣Ｂを前記ポケット部Ｐから引出して、該紙幣Ｂをさらに積極的にスタック部Ｓに向けて押し出すことができるようになっている。
【００２２】
次に、上記実施の形態に係るスタックユニットの動作を説明する。
図１および図２の実線で示すよう、紙幣Ｂが送られてくる前の待機状態において、前記駆動機構１７のソレノイド２０は例えばオフ状態であり、そののピストンロッド２０ａは完全伸長した状態であり、従って、前記前方、後方プッシャ１８，１９は新着紙幣Ｂが前記固定プレート１５と各係止部材１６との間の挿入ポケット部に自由に進入できるよう、該挿入ポケット部から退却した第１の位置にある。また、両係止部材１６は、前記固定プレート１５の真下に平行に離隔した状態の紙幣係止位置に維持されている。
【００２３】
新着紙幣Ｂが前記挿入ポケット部に進入し、両前記両係止部材１６の上面に適切に載置されると、各前記ソレノイド２０がオンされることによってピストンロッド２０ａが収縮する。このピストンロッド２０ａの収縮に応じて、前記プッシャ１８，１９がそれぞれの軸１８ａ、１９ａを中心として第２の位置に下方回動し（図１の矢印Ｂ方向）、その前端において前記新着紙幣Ｂを押し下げる。また、これと同時に、前記プッシャ１８，１９の下方回動に応じて、これらの後端側に設けられた側方突起１８ａ，１９ｂが対応する回動部材２５の突起２５ａを下方に押圧し、これにより、前記回動部材２５が軸２１を中心として側方外方に回動する（図２の矢印Ｃ方向）。従って、該回動部材２５の回動に伴って、両係止部材１６が、紙幣解放位置にまで側方外方に回動して開く。このようなプッシャ１８，１９による押圧動作、および、係止部材１６の側方外方への回動によって、それまで両係止部材１６上に載置されていた紙幣Ｂが、前記スタックガイド部１４から押し出される。
【００２４】
このようにスタックガイド部１４から押し出される紙幣Ｂは、回転している前記羽根車２３の可撓性の羽根２３ａによっても、その上面が押される。その結果、前記紙幣Ｂは、さらに確実に、下方のスタック部Ｓに送り込まれることができる。
【００２５】
なお、この発明は、上述した実施の形態に限られることなく、様々な変更が可能である。この本発明は、各紙幣Ｂの一方の長辺が前記投入口部の底面に接するよう起立させた状態に複数の紙幣がまとめて前記投入口部に挿入され、さらに、この起立状態を維持したまま、個々の紙幣Ｂが、順次、その長手方向に搬送される“起立縦方向”搬送方式の紙幣入金装置におけるスタックユニットに適用してもよい。この場合の構成は、図１の断面側面図を断面平面図とみなした場合と同じ構成なる、ということことは明らかであろう。つまり、この場合、プッシャ１８，１９は左右方向に回動し、両係止部材１６は上下方向に回動し、紙幣Ｂを、スタックガイド部１４からその側方のスタック部Ｓに向けて押し出すことになる。この場合、前記紙幣Ｂの押し出しは、引力を利用したものではないので、前記のような羽根車２３を紙幣Ｂの上下側部に対応して設けることが必須条件となる。
【００２６】
また、前記駆動機構１７において、ソレノイドの代わりに、モータその他の適当な手段を使用してよい。さらに、本発明は、紙幣に限らず、その他の紙葉のためのスタックユニットに適用してもよい。
【００２７】
【発明の効果】
以上のように、この発明は、前記プッシャ部材が前記第２の位置に回動して紙葉を押し出すのと同時に、前記係止体が紙幣解放位置に回動し前記ポケット部をスタック部に対して開き、前記プッシャ部材による紙葉の押出し動作を容易化し、補助するようにしたものである。その結果、この発明は、前記プッシャ部材による紙葉押し出しストロークを短くでき、該スタックユニット、従って、該スタックユニットを適用した装置のサイズをコンパクト(小型)化できるるとともに、より高速で、紙葉の適切な整頓収納ができる、という優れた効果を奏する。
【図面の簡単な説明】
【図１】本発明の一実施の形態に係る紙葉スタックユニットの長手断面図。
【図２】図１のＩＩ−ＩＩ線に沿う断面図。
【図３】従来の紙幣入出金装置におけるスタックユニットを説明する図。
【符号の説明】
Ｂ    紙幣
１４    スタックガイド部
１６    係止部材
Ｐ    挿入ポケット部
１７    駆動機構
１８，１９    プッシャ
２０    ソノイド
２２    連結部材
【図１】
0004312887.tif 000002
【図２】
0004312887.tif 000003
【図３】
0004312887.tif 000004